(57)【要約】【課題】揮発性薬剤を洗浄する際に発生する気体の拡散を抑制できるとともに、レイアウトの制約をなくすことができる流し台を提供する。【解決手段】流し台１は、一般的な流し台と同様に、給水部２とシンク３と排水部４とを備える。給水部２から給水された水は、排水部４より排水される。揮発性薬剤を洗浄する際に有害気体が発生するおそれがある。外部の排風機が作動すると、シンク３から、吸引口１４、上昇流路１５、反転して、下降流路１６、排気口１７、排気ダクト１８と連続する排気流路が形成される。上昇流路１５には、デミスタ２１が設置される。デミスタ２１を通過した排気には水分が除去され、排気ダクト１８から排気される。【選択図】図１
2018004189.tif 000002
【特許請求の範囲】
【請求項１】
付着した揮発性薬剤を洗浄する際に用いる流し台であって、
給水部と、
シンクと、
排水部と、
前記シンク側面下部の吸引口から上昇流を導く上昇流路と、
前記上昇流路に設けられるデミスタと、
外部の排風機と接続し、前記デミスタを通過した気体を排気する排気ダクトと、
を備えることを特徴とする流し台。
【請求項２】
前記シンクの側面の一部は、前記上昇流路の一部を形成し、
前記シンクと上昇流路のとの共通部は、取付板を有し、
前記取付板取付位置と対応して、前記上昇流路に設けられるデミスタ設置部と
を備え、
前記デミスタは、前記デミスタ設置部に取外し可能に設置される
ことを特徴とする請求項１記載の流し台。
【請求項３】
前記上昇流路の吸引口のシンク中央に近い位置から延設される第１整流板と、
前記上昇流路の吸引口のシンク中央から遠い位置から延設され、第１整流板より通風方向に長い第２整流板と、
を備えることを特徴とする請求項１記載の流し台。
【請求項４】
前記上昇流路と対向するシンク側面上部に設けられ、前記上昇流路の吸引口に向かって給気する給気部
を備えることを特徴とする請求項１記載の流し台。
【請求項５】
請求項１記載の流し台と、
揮発性薬剤を用いた部位を載置する支持板と、支持板の下方から吸引する吸引機構とを有する切り出しテーブルと
を備えることを特徴とする切り出しユニット。
【発明の詳細な説明】
【技術分野】
【０００１】
本発明は付着した揮発性薬剤を洗浄する際に用いる流し台等に関する。
【背景技術】
【０００２】
病院の病理検査において、ホルマリンに浸して検体臓器を固定（細胞組織形態が変化するのを防止）したり、固定した検体臓器を適切な大きさに切り出す作業が行われている。固定作業や切り出し作業の際に付着したホルマリン等を洗浄する。その際に、ホルマリンからホルムアルデヒドが揮発するおそれがある。
【０００３】
一方、特定化学物質障害予防規則が改正され、発癌性の観点から、例えばホルムアルデヒドや１，３−ブタンジエン、硫酸ジエチルの取扱いには大きな注意が要求されるようになった。今回の改正で、ホルムアルデヒドは第３類物質から特定第２類物質に変更された。
【０００４】
病理検査室内においても、ホルムアルデヒドの管理濃度は0.1ppm以下と設定され、排気設備の設置や定期的な作業環境測定が義務付けられている。
【０００５】
これに対し、発明者が提案しているエアカーテン付の流し台（例えば特許文献１）を用いれば、ホルムアルデヒドの拡散を抑制できる。
【０００６】
流し台手前側および流し台奥側壁上部に対角状に設けられた２つプッシュユニットからエアーを噴出してエアカーテンを形成する。２つプッシュユニットから噴出されたエアーは中央で合流し、流し台奥側壁下部に設けられたプルユニットにより、吸引、排気される。
【０００７】
流し台内のホルムアルデヒドは、エアカーテンが仕切る空間内から拡散することなく、上記エアーとともに、吸引、排気される。
【先行技術文献】
【特許文献】
【０００８】
【特許文献１】特開平８−００１１２４号公報
【発明の概要】
【発明が解決しようとする課題】
【０００９】
上記のとおり、特許文献１記載の流し台は、対角線状のエアカーテンを形成するために、流し台奥側の壁を必須とする。流し台奥側の壁が病理検査室の壁と対向するように、流し台は設置される。このようなレイアウトであれば、流し台奥側の壁が支障となることは少ない。
【００１０】
ところで、複数の作業者が共同作業するような場合、対面作業が好ましい。また、医療実習など教官が実習生に指導する場合も対面作業が好ましい。対面により対話しながらの作業が可能となり、作業効率が向上する。
【００１１】
しかしながら、特許文献１記載の流し台では、流し台奥側の壁が障害となり、対面作業を可能とするレイアウトが難しかった。
【００１２】
本発明は、上記課題を解決するものであり、揮発性薬剤を洗浄する際に発生する気体の拡散を抑制するとともに、レイアウトの制約のない流し台を提供することを目的とする。
【課題を解決するための手段】
【００１３】
上記課題を解決するために、本発明の一態様である流し台は、付着した揮発性薬剤を洗浄する際に用いるものであって、給水部と、シンクと、排水部と、前記シンク側面下部の吸引口から上昇流を導く上昇流路と、前記上昇流路に設けられるデミスタと、外部の排風機と接続し、前記デミスタを通過した気体を排気する排気ダクトと、を備える。
【００１４】
これにより、充分な吸引効果が得られ、有害気体の拡散を抑制する。さらに、上方空間に障害物となる構成が無いため、レイアウトの制約がない。
【００１５】
上記発明の一態様において、好ましくは、前記シンクの側面の一部は、前記上昇流路の一部を形成し、前記シンクと上昇流路のとの共通部は、取付板を有し、前記取付板取付位置と対応して、前記上昇流路に設けられるデミスタ設置部とを備える。
【００１６】
これにより、デミスタの取付および取外しが容易になる。その結果、デミスタの洗浄も容易となる。
【００１７】
上記発明の一態様において、好ましくは、前記上昇流路の吸引口のシンク中央に近い位置から延設される第１整流板と、前記上昇流路の吸引口のシンク中央から遠い位置から延設され、第１整流板より通風方向に長い第２整流板と、を備える。
【００１８】
整流作用により均等に有害気体は吸引口に誘導される。
【００１９】
上記発明の一態様において、好ましくは、前記上昇流路と対向するシンク側面上部に設けられ、前記上昇流路の吸引口に向かって給気する給気部を備える。
【００２０】
これにより、エアカーテンが形成され、有害気体の拡散を抑制する。
【００２１】
上記課題を解決するために、切り出しユニットは、上記発明の一態様である流し台と、揮発性薬剤を用いた部位を載置する支持板と、支持板の下方から吸引する吸引機構とを有する切り出しテーブルとを備える。
【００２２】
レイアウトの制約がないことに係る効果は、流し台を切り出しユニットとして使用する場合に、顕著となる。
【発明の効果】
【００２３】
本発明の流し台によれば、揮発性薬剤を洗浄する際に発生する気体の拡散を抑制できるとともに、レイアウトの制約をなくすことができる。
【図面の簡単な説明】
【００２４】
【図１】本実施形態に係る流し台（横方向断面図）
【図２】本実施形態に係る流し台（奥行き方向断面図）
【図３】本実施形態に係る流し台（詳細構成図）
【図４】変形例１に係る流し台
【図５】変形例２および変形例３に係る流し台
【図６】本実施形態に係る切り出しユニット（横方向断面図）
【図７】本実施形態に係る切り出しユニット（平面図）
【図８】本実施形態に係る切り出しユニット（詳細構成図）
【図９】本実施形態に係る切り出しテーブル（詳細構成図）
【発明を実施するための形態】
【００２５】
〜流し台構成〜
図１〜３は、本実施形態に係る流し台の構成を示す図である。図１は、想定使用状態（図８参照）において横方向の断面を表わしたものである。図２は、想定使用状態において奥行き方向の断面を表わしたものである。図３は、概略斜視図であり、内部の詳細構成を理解できるように、適宜、図示を省略している。
【００２６】
本実施形態に係る流し台１は、付着した揮発性薬剤（例えばホルマリン、以下ホルマリンを中心に説明する）を洗浄する際に用いるものである。想定使用状態を基準に左右等の位置について記載する。なお、寸法表記については各機能の理解を補助するための一例であり、各数値に限定されるものではない。
【００２７】
本実施形態に係る流し台１は、一般的な流し台と同様に、給水部２とシンク３と排水部４とを備える。
【００２８】
シンク３は、筺体から略矩形に掘り下げられて、底面３１と４つの側面３２〜３５により形成される。底面３１中央部には開口部（排水口）３６が設けられている。
【００２９】
排水トラップ４は排水口３６から下方に延設される。奥側の側面３２の上部には給水栓（混合栓）２が設けられている。給水栓２から給水された水は、一部がシンク３内で拡散するが、結果的にほぼ全てが、排水トラップ４より排水される。
【００３０】
シンク３において、３つの側面３２，３４，３５は下端にて底面３１と連続するのに対し、残りの側面３３の下端は底面３１と連続せず、空間が形成されている。
【００３１】
シンク側面３３は、筺体の一側面１１と平行している。シンク側面３３と筺体側面１１の間において、隔壁１２がシンク底面３１より立設されている。
【００３２】
隔壁１２上端は筺体上面１３とは連続せず、隔壁１２上端と筺体上面１３が形成する空間は流路を形成する。
【００３３】
シンク側面３３下端と隔壁１２が形成する開口には、矩形フレームが設けられ、吸引口１４が形成される。シンク側面３３と隔壁１２が形成する空間は、上昇流路１５を形成する。隔壁１２と筺体側面１１が形成する空間は、下降流路１６を形成する。
【００３４】
筺体側面１１には開口部（排気口）１７が設けられている。排気ダクト１８は、排気口１７から延設され、外部の排風機と接続される。
【００３５】
上昇流路１５には、デミスタ２１が設置される。デミスタ２１はシート状のワイヤーメッシュを積層し、サポートフレームにより一体化したものである。本実施形態では、吸引口フレーム１４に厚さ３０ｍｍ程度のデミスタが３層積層されている。
【００３６】
吸引口フレーム１４から下方に２枚の整流板２２，２３が延設されている。整流板２２はシンク中央３６に近く、整流板２３はシンク中央３６より遠い。整流板２３は整流板２２より通風方向に長い。
【００３７】
以上の構成において、流し台１では上方空間に障害物がない（詳細後述）。
【００３８】
〜排気流路および気液分離〜
付着したホルマリンを洗浄する際に、流し台１を用いる。その際に、ホルマリンからホルムアルデヒドが揮発するおそれがある。なお、ホルムアルデヒドの比重は空気より若干重い。そのため、ホルムアルデヒドはシンク３底部から徐々に拡散する。直ちに病理検査室内に拡散するおそれは少ない。
【００３９】
なお、給水栓２から給水された水の殆んどは、排水トラップ４より排水される。
【００４０】
一方、外部の排風機が作動すると、シンク３から、吸引口１４、上昇流路１５、反転して、下降流路１６、排気口１７、排気ダクト１８と連続する排気流路が形成される。
【００４１】
シンク３内には吸引口１４に向かって、下降流が形成される。
【００４２】
シンク３底部等のホルムアルデヒドは整流板２２，２３の作用により均等に吸引口１４に誘導される。このとき水の一部がミスト状となってホルムアルデヒドと共に吸引される。
【００４３】
ミスト状の水を含む排気は上昇流路１５を上昇する。このとき排気はデミスタ２１のメッシュワイヤに衝突する。ミスト状の水は、線の濡性と毛細管現象とにより、メッシュワイヤに拘束され、集合・成長し、やがて適当な大きさになった水滴は重力の作用により上昇流に抗して落下する。落下した水は排水トラップ４より排水される。
【００４４】
デミスタ２１を通過した排気には水分が除去されている。ホルムアルデヒドを含む上昇流は反転して下降流となり、排気ダクト１８から排気される（図１参照）。
【００４５】
〜フィジビリティスタディ〜
本実施形態において設計の妥当性を検証した。
【００４６】
排風機による排気風量を３６０ｍ３／Hrと設定する。デミスタ２１の通風方向断面積を０．０５ｍ２と設定すると、デミスタ２１を通過する上昇流の風速は２．０ｍ/ｓとなる。
【００４７】
風速を２．０ｍ/ｓとし、デミスタ２１の総厚を９０ｍｍとし、市販されているデミスタの特性から判断すると、圧力損失９Paが発生する。これにより１０μｍ程度のミストを約９８％除去できる。このように、充分な気液分離効果を期待できる。
【００４８】
一方、シンク３の上部開口面積を０．３ｍ２と設定すると、シンク断面に発生する平均風速は０．３４ｍ/ｓとなる。この風速は、シンク３底部等のホルムアルデヒドを吸引口１４に誘導するのに充分であるとともに、速すぎてその他の作業に支障を来すこともない。
【００４９】
更に、図１等に例示する流し台より少し小型の流し台においても設計の妥当性を検証した。
【００５０】
排風機による排気風量を３６０ｍ３／Hrと設定する。デミスタ２１の通風方向断面積を０．０３ｍ２と設定すると、デミスタ２１を通過する上昇流の風速は３．６ｍ/ｓとなる。
【００５１】
風速を３．６ｍ/ｓとし、デミスタ２１の総厚を６０ｍｍ（３０ｍｍ×２層）とし、市販されているデミスタの特性から判断すると、圧力損失９Paが発生する。これにより１０μｍ程度のミストを約９８％除去できる。このように、充分な気液分離効果を期待できる。
【００５２】
一方、シンク３の上部開口面積を０．２１ｍ２と設定すると、シンク断面に発生する平均風速は０．４８ｍ/ｓとなる。この風速は、シンク３底部等のホルムアルデヒドを吸引口１４に誘導するのに充分であるとともに、速すぎてその他の作業に支障を来すこともない。
【００５３】
〜取外し構造〜
シンク側面３３は、取外し可能に形成されていてもよい。図３に取外し構造の分解斜視図を記載する。
【００５４】
筺体上面１３、側面３２、側面３４と連続して取付部３７が設けられている。取付部３７にはピン孔が設けられている。
【００５５】
取付板３８は平板状であって、取っ手およびピン孔が設けられている。取付部３７ピン孔と取付板３８ピン孔とを貫通するピンにより取り付け可能になる。
【００５６】
一方、取付板３８取っ手を支持しながらピンを抜くことにより、取付板３８は取外し可能になる。
【００５７】
取付板３８取付位置と対応して、デミスタ２１が設置される。図示の例では、吸引口フレーム１４および整流板２２，２３上端がデミスタ設置部を構成する。取付部３７は取付板３８より小さい為、取付板３８を取り外すと、開口が出現する。この開口を介して、デミスタは取付・取外し可能になる。
【００５８】
デミスタ２１を取り外すことにより、適宜洗浄可能となり、目詰まりを防止する。
【００５９】
〜変形例〜
本願発明は上記実施形態に限定されるものでなく、技術思想の範囲で、例えば以下の変形（変形例１〜３）が可能である。
【００６０】
図４は、変形例１に係る流し台を示す図である。
【００６１】
上記実施形態においてシンク３幅（想定使用状態横方向）が長くなると、シンク３底部周辺のうち、吸引口１４から遠い範囲では、充分な吸引効果が得られないおそれもある。
【００６２】
これに対し、変形例１では、上昇流路１５を形成するシンク側面３３と対向するシンク側面３５の上部には、給気部２５が追加されている。
【００６３】
給気部２５は吸引口１４に向かって給気する。これにより、エアカーテンが形成される。
【００６４】
シンク側面３５近傍では、上方の向かうホルムアルデヒドはエアカーテンに遮断される。シンク３底部周辺のうち、吸引口１４から遠い範囲では、エアカーテンに誘導され、吸引口１４に向かう。これによりホルムアルデヒドの拡散を防止できる。
【００６５】
変形例１のようなエアカーテンであれば、給気部設置のための壁は不要であり、レイアウトの制約はない。
【００６６】
図５Aは、変形例２に係る流し台を示す図である。シンク側面３３と対向するシンク側面３５側にも上昇流路が追加して形成され、上昇流路にはデミスタ―が設置される。
【００６７】
これにより、シンク３幅が長い場合でも、図示左右両側からの吸引が可能となり、シンク底面３１全範囲において充分な吸引効果が得られる。
【００６８】
さらに、変形例１と同様に、シンク側面３３およびシンク側面３５上部に、給気部（図示省略）が追加されていてもよい。
【００６９】
シンク側面３３上部に設けられた給気部は、シンク側面３５下部の吸引口に向かって給気する。シンク側面３５上部に設けられた給気部は、シンク側面３３下部の吸引口に向かって給気する。これにより、左右両方からエアカーテンが形成される。
【００７０】
その結果、特に、シンク底面３１中央での拡散防止効果が確保される。
【００７１】
ところで、シンク３幅は諸事情に因って変更することもあり得るが、シンク３奥行き（想定使用状態奥行き方向）は、使用者の手の届く範囲という制約によって、設定される。したがって、シンク３奥行きは大きく変更されることは少ない。
【００７２】
図５Bは、変形例３に係る流し台を示す図である。奥側の側面３２側に上昇流路が形成され、上昇流路にはデミスタ―が設置される。
【００７３】
これにより、シンク３幅が長い場合でも、シンク底面３１全範囲において充分な吸引効果が得られる。
【００７４】
さらに、変形例１と同様に、シンク側面３４上部に、給気部（図示省略）が追加されていてもよい。シンク側面３４上部に設けられた給気部は、シンク側面３２下部の吸引口に向かって給気する。これにより、エアカーテンが形成される。
【００７５】
〜切り出しユニット〜
本実施形態に係る流し台１を単独で使用してもよいが、流し台１と切り出しテーブル６とのユニットとして使用することにより、より特徴的な効果（後述）が得られる。
【００７６】
図６〜８は、本実施形態に係る切り出しユニットの構成を示す図である。図６は、想定使用状態（図８参照）において横方向の断面を表わしたものである。図７は、平面図である。図８は、切り出しユニットを２つ対面させて使用する場合の概略斜視図である。図９は、切り出しテーブルの構成を示す図である。
【００７７】
例えば、切り出しユニットは、２つの切り出しテーブル６，６と、切り出しテーブル６，６の間に挟まれる流し台１とから構成される。
【００７８】
更に、２つの切り出しユニットを対面させ、四人一組で使用する（図８参照）。
【００７９】
切り出しテーブル６は、ホルマリンに浸して固定（細胞組織形態が変化するのを防止）した検体臓器を適切な大きさに切り出す際に用いられる。
【００８０】
図９を参照しながら、切り出しテーブル６について説明する。切り出しテーブル６は、筐体と４つの脚から構成される。筐体には主要構成が内包されている。
【００８１】
切り出しテーブル６は、主要構成として、シンク６１と、支持板６２（一部図示省略）と、整流機構６３と、風箱６４と、排気ダクト６５と、給水栓６６と、排水トラップ６７とを備える。
【００８２】
シンク６１は、筺体を矩形状に掘り下げることにより、４つの側面と底面から構成される。支持板６２は、シンク６１上部に係止されている。
【００８３】
支持板６２は、部位を支持する。具体的には、俎板を載置し、俎板の上に部位を載置する。支持板６２は、パンチングメタルとよばれる全面に打ち抜き加工された金属板であり、多数の通気孔が吸引口を形成する。
【００８４】
支持板６２には、回転取手が設けられており、回転取手を掴むことにより取外し可能である。
【００８５】
整流機構６３は、支持板６２の直下のシンク空間に設けられ、支持板６２上の気体を均等となるように下方吸引誘導する。
【００８６】
整流機構６３は、通風方向の長さが異なる複数の平板から構成される。平板風下側端面は、通風方向垂直に想定される基準面に揃えられている。
【００８７】
最も長い板を最下方に、最も短い板を最上方に配置する。すなわち、下方ほど通風経路が長くなり、上方ほど通風経路が短くなる。これにより、各通風経路の通風抵抗は均等となり、支持板６２上の気体は均等となるように下方吸引誘導される。
【００８８】
風箱６４は、整流機構６３の風下側に連通する中空空間である。風箱６４下面の一端には、排気ダクト６５が連設されている。排気ダクト６５は風下側に連通しており、外部の排風機と接続することにより吸引誘導する。
【００８９】
給水栓６６は、支持板６２の脇に設けられ、外部の給水ホースと接続することにより支持板６２に給水する。切り出し作業により支持板６２が汚れた場合は、適宜洗浄する。
【００９０】
排水トラップ６７はシンク６１の最深部と連通する。外部の排水ホースと接続することにより支持板６２に給水された水を排水する。
【００９１】
このように、切り出しテーブル６においても、上方空間に障害物がない。
【００９２】
図８に戻り、切り出しユニットの使用状態について説明する。切り出しテーブル６については、１人１台使用し、流し台１については、２人１台使用する。つまり、各自切り出し作業をおこない、適宜、付着したホルマリン等を洗浄する。
【００９３】
流し台１および切り出しテーブル６の排気ダクト１８，６５は、一か所に集められて外部に接続される。これ以外に、上方空間に障害物がない。
【００９４】
したがって、４人が対面して対話しながら作業を進めることができる。たとえば、医療実習において教官が実習生に実技を見せながら指導する。
【００９５】
更に、排気ダクト１８，６５が外部に連続する箇所において、大型モニタを設けてもよい。４人の実習生が大型モニタに映し出される教官の手技を見ながら、作業を進めることができる。
【００９６】
本実施形態に係る切り出しユニットはレイアウトの制約がない。そのため、病理検査室に複数の切り出しユニットを配置できる。その結果、大人数での実習等に適している。
【００９７】
〜効果まとめ〜
本実施形態の流し台の効果について説明する。付着したホルマリンを洗浄する際にホルムアルデヒドが発生しても、充分な吸引効果により、ホルムアルデヒドの拡散を防止できる。
【００９８】
また、上方空間に障害物がない構成であることから、病理検査室におけるレイアウトの制約がない。すなわち、複数の流し台２と複数の切り出しテーブル６を組み合わせて、対面可能なユニットを形成できる。
【符号の説明】
【００９９】
１    流し台
２    給水部
３    シンク
４    排水部
６    切り出しテーブル
１１  筺体側面
１２  隔壁
１３  筺体上面
１４  吸引口
１５  上昇流路
１６  下降流路
１７  排気口
１８  排気ダクト
２１  デミスタ
２２，２３  整流板
２５  給気部
３１  シンク底面
３２〜３５  シンク側面
３６  シンク中央
３７  取付部
３８  取付板
６１    シンク
６２    支持板
６３    整流機構
６４    風箱
６５    排気ダクト
６６    給水栓
６７    排水トラップ
【図１】
2018004189.tif 000003
【図２】
2018004189.tif 000004
【図３】
2018004189.tif 000005
【図４】
2018004189.tif 000006
【図５】
2018004189.tif 000007
【図６】
2018004189.tif 000008
【図７】
2018004189.tif 000009
【図８】
2018004189.tif 000010
【図９】
2018004189.tif 000011